(57)【特許請求の範囲】
【請求項１】
シンク本体の後壁面に、後方に湾曲した膨出部が設けられると共に、該膨出部の上端に連続したシンクの後側段縁部に、細径の首部を有する一対のピンが、所定の間隔を有して上方突設され、該ピンに、金属杆を屈曲して形成されたまな板立てが係脱可能に係止される流し台シンクであって、
前記まな板立ては、前後方向に所定の間隙を有するように連結された下向き略コ字形の前後の垂直保持部と、この垂直保持部の下端部において左右方向外側に開口するほぼＵ字状の左右の係止部とを有し、前記垂直保持部の下端部に拡開方向に作用する弾性復元力により、前記両係止部がそれぞれ前記ピンの首部に嵌り込み、前記垂直保持部が後側段縁部に起立状態に保持されるようになっていることを特徴とする流し台のシンク。
【請求項２】
上端が四角い枠状の掛支部とされ、この掛支部下側の背面部分が、シンクの膨出部とほぼ同じ形状に湾曲された小物入れを更に備えており、
前記小物入れは、前記掛支部を前記ピンの後方に位置させてその首部に嵌め込むことにより、前記シンクの膨出部の前側に吊り下げ保持されることを特徴とする請求項１記載の流し台シンク。
【請求項３】
膨出部が、シンク本体の後壁面の左右両側に設けられると共に、各膨出部に対応するように、一対のピンが、シンクの後側段縁部の左右両側にそれぞれ、等しい間隔で設けられたことを特徴とする請求項２記載の流し台シンク。
【発明の詳細な説明】
【０００１】
【発明の属する技術分野】
本発明は、流し台に設けられるシンクの構造に関する。
【０００２】
【従来の技術】
図６は、流し台シンクの従来例を示した斜視図である。図示したように従来の流し台シンクは、排水口１２が設けられたシンク１０の後側上部に形成される段部１１を大きくとり、ここに水栓１３を取り付けると共に、小物入れ用のポケット１４を設けていた。
【０００３】
このポケット１４は、内部の清掃が可能なように水切り容器１４ａが取外し可能に収納されたものであり、その底面には、水抜き用の水抜き孔（図示せず）が設けられていた。そして、この水抜き孔は、シンク１０の裏側において図示しない連結管を介してシンク１０の排水口１２に取り付けられた排水管（図示せず）と連結され、ポケット１４に流れ込んだ水をこの排水管に流すようになっていた。
【０００４】
なお、水切り容器１４ａの代わりに、水抜き孔を有するプレート（図示せず）をポケット１４内に収納したものもあった。
【０００５】
【発明が解決しようとする課題】
上述した従来の流し台シンクでは、小物を収納するポケットは、常時水が流下する場所ではないので、汚れが溜まり易く、不潔になりがちで定期的に水切り容器やプレートなどを取り外して清掃しなくてはならないという問題点があった。
【０００６】
また、このポケットの水抜き孔は、シンクの排水口に設けられるようなごみ取り容器が設けられていないので、詰まり易く、このため清掃が困難で、一層不潔になりがちであった。
【０００７】
さらに、その製造、組立てにおいては、シンクをポケットのある複雑な形状に、かつ水漏れしないように組立加工する必要があると共に、シンクの裏側において、接続管を排水管に接続する作業も必要とし、組立作業能率が悪く、かつ製造コストも高いという問題点があった。
【０００８】
本発明は、上記従来の流し台シンクが有していた問題点の解決を課題とする。
【０００９】
【課題を解決するための手段】
上記の課題を解決するために、本発明のうち、請求項１記載の発明は、シンク本体の後壁面に、後方に湾曲した膨出部を設けると共に、この膨出部の上端に連続したシンクの後側段縁部に、細径の首部を有する一対のピンが、所定の間隔を有して上向きに突設され、このピンに、金属杆を屈曲して形成されたまな板立てが係脱可能に係止される流し台シンクである。そして、前記まな板立ては、前後方向に所定の間隙を有するように連結された下向き略コ字形の前後の垂直保持部と、この垂直保持部の下端部において左右方向外側に開口するほぼＵ字状の左右の係止部とを有し、前記垂直保持部の下端部に拡開方向に作用する弾性復元力により、前記両係止部がそれぞれ前記ピンの首部に嵌り込み、前記垂直保持部が後側段縁部に起立状態に保持されるようになっている。
【００１０】
請求項２記載の発明は、請求項１記載の発明の構成において、上端が四角い枠状の掛支部とされ、この掛支部下側の背面部分が、シンクの膨出部とほぼ同じ形状に湾曲された小物入れを更に備えており、前記小物入れは、前記掛支部を前記ピンの後方に位置させてその首部に嵌め込むことにより、前記シンクの膨出部の前側に吊り下げ保持されることを特徴とする。
【００１１】
請求項３記載の発明は、請求項または記載の発明の構成における膨出部と、この膨出部に対応して設けられる一対のピンを、シンク本体の左右両側に、それぞれ等しい間隔で設けたことを特徴とする。
【００１２】
【発明の実施の形態】
以下、本発明を図示した実施の形態に基づき詳細に説明する。
【００１３】
図１は、本発明の流し台シンクの実施形態による使用状態斜視図、図２は、同じ流し台シンクの他の使用状態の斜視図である。また、図３、図４は、それぞれ図２の異なる個所の拡大図である。
【００１４】
ここにおいて、本発明の流し台シンク１に用いられるシンク本体２は、図５に示すように、後壁面２ａの所定位置を後方に湾曲させて、膨出部２ｂを設けた形状に一枚のステンレス板をプレス成形することにより形成したものであり、膨出部２ｂの上端に連続したシンクの後側段縁部２ｃには、この膨出部２ｂの最奥部を挟むようにその両側に、一対のピン孔２ｆ，２ｆを設けている。また、シンクの底部２ｇには、排水口２ｅを設け、後側段縁部２ｃの中央には、水栓取付用の開口２ｄを設けている。
【００１５】
上記の形状に形成されたシンク本体２には、図３並びに図４に示すように、後側段縁部２ｃに形成されたピン孔２ｆ，２ｆに、大径の頭部３ａの下方に細径の首部３ｂが設けられたピン３が、側面視、略Ｔ字形に突出するように取り付けられ、このピン３で、金属杆を屈曲して形成した小物入れ４や、まな板立て５を着脱可能に係止するようにしている。
なお、この金属杆は、その太さが、シンクの段縁部２ｃから突出したピン３の首部３ｂの長さを上回らない寸法であることとする。
【００１６】
まな板立て４は、図３に示すように、金属杆を下向き略コ字形に屈曲して形成した一対の垂直保持部４ａ，４ａを、所定の間隙を有するように、その下端寄りで水平保持部４ｂ，４ｂを介して連結し、さらにその下端の両側に略Ｕ字形の係止部４ｃ，４ｃを、互いに外向きに連設したものであり、垂直保持部４ａの下端が内方（互いに接近する方向）に押動された際に、外方（互いに隔離する方向）へと開く方向に作用する弾性復元力により、両側の係止部４ｃ，４ｃがそれぞれピン３の首部３ｂに嵌まり込み、シンクの膨出部２ｂ近傍の後側段縁部２ｃに起立状態で保持されるようになっている。
【００１７】
なお、上記垂直保持部４ａ，４ａ同士の間隙は、保持するまな板（図示せず）の厚さよりも大きく設定されている。
よって、一対の垂直保持部４ａ，４ａの間にまな板を差し込めば、このまな板は、その表裏両面が垂直保持部４ａ，４ａで倒れないように保持され、かつその下端が水平保持部４ｂ，４ｂに当接することにより、立った状態で保持されるものである。
【００１８】
小物入れ５は、図４に示すように、上面が開放された籠状に金属杆で組み立てられたものである。この小物入れ５は、上端が四角い枠状の掛支部５ａとされ、この掛支部５ａ下側の背面部分５ｂは、シンクの膨出部２ｂとほぼ同じ形状に湾曲して形成されている。
よって、この掛支部５ａがピン３の後方（図４において左奥側）に位置するように、小物入れ５をシンクの膨出部２ｂの上方から落し込めば、この小物入れ５はその自重で、掛支部５ａがピン３の首部３ｂに嵌まり込み、図１に示したようにシンクの膨出部２ｂの前側に吊り下げ保持されることとなる。
【００１９】
よって、この状態で内部に図示しないスポンジや洗剤などの小物を収納し、保持することができる。この時、この小物入れ５は金属杆で隙間の大きい籠状に形成され、かつシンクの内側に吊り下げられているので、濡れたスポンジなどを収納しても水滴がシンク内に落ちるので、何ら問題を生じることはない。
【００２０】
また、この小物入れ５は、図２に示すように、シンクの前側の段縁部２ｃ’との間で、作業用の水きり板６をシンク上に水平に保持するための支持具としての機能も兼ね備えている。
【００２１】
なお、上記まな板立て４を取り外すには、下向き略コ字形の垂直支持部４ａの下端を、その弾性復元力に抗して互いに接近する方向に押動し、ピン３の首部３ｂに嵌まり込んだ係止部４ｃを、首部３ｂから抜き出せば良い。
【００２２】
また、小物入れ５を取り外すには、小物入れ５の前側下端を持ち上げ、傾いた状態で上端の掛支部５ａを後方に移動させ、この掛支部５ａをピン３の首部３ｂから抜き出せば良い。
【００２３】
本発明の台所用シンク１は、上記の構成を有しており、まな板立て４や小物入れ５が、容易に着脱することができるので、清掃時などの際にこれらが邪魔になることがない。
また、このまな板立て４や小物入れ５は、所定の間隔で突設された一対のピン３，３で保持されるようになっているので、その取付位置を入れ換えることもでき、右利きや左利きの者、あるいはその周囲の状況などに応じて、使用者が作業し易い状態に、これらを配置することができる。
【００２４】
【発明の効果】
以上説明したように、本発明のうち、請求項１記載の発明は、シンクの後側段縁部に取り付けられた一対のピンに、まな板立てを着脱可能に取り付けるようにしたので、従来のようにシンクに小物入れ用のポケットを形成する必要がなく、シンクの構成が簡単となり、製造が容易になる。
また、ポケットからの排水用の連通管を接続する作業も不要になり、その組立作業性が向上する。さらに清掃が困難で、不潔になり勝ちなポケットをなくしたので、衛生面での向上もはかられるという効果がある。
【００２５】
請求項２記載の発明は、小物入れを、上端が四角い枠状の掛支部とし、その下側の背面部分が、シンクの膨出部とほぼ同じ形状に湾曲されたものとし、この小物入れを、掛支部をピンの後方に位置させてその首部に嵌め込むことにより、シンクの膨出部の前側に吊り下げ保持されるものとしたので、上記請求項１の発明の効果に加え、この小物入れを、水切り板をシンク上に保持するための支持部材の一部として利用できるという効果がある。
【００２６】
請求項３記載の発明は、まな板立てや小物入れが取り付けられるピンをシンクの左右両側に設け、まな板立てと小物入れの取付位置を入れ換えられるようにしたので、上記請求項１記載の発明の効果に加え、使用者が右利きであるか左利きであるかを問わず、これらのものを各自が使用し易い状態に配置できるという効果がある。
【図面の簡単な説明】
【図１】  本発明の流し台シンクの実施形態による使用状態斜視図である。
【図２】  図１に示した流し台シンクの他の使用状態の斜視図である。
【図３】  図２の要部拡大図である。
【図４】  図２の他の要部の拡大図である。
【図５】  本発明の流し台シンクに用いられるシンク本体の斜視図である。
【図６】  流し台シンクの従来例を示した斜視図である。
【符号の説明】
１    流し台シンク
２    シンク本体
２ａ  後壁面
２ｂ  膨出部
２ｃ  後側段縁部
２ｃ’前側段縁部
２ｄ  水栓取付用の開口
２ｅ  排水口
２ｆ  ピン孔
２ｇ  底部
３    ピン
３ａ  頭部
３ｂ  首部
４    まな板立て
４ａ  垂直保持部
４ｂ  水平保持部
４ｃ  係止部
５    小物入れ
５ａ  掛支部
５ｂ  小物入れの背面部分
６    水切り板
【図１】
0004371519.tif 000002
【図２】
0004371519.tif 000003
【図３】
0004371519.tif 000004
【図４】
0004371519.tif 000005
【図５】
0004371519.tif 000006
【図６】
0004371519.tif 000007